(57)【要約】【課題】揮散体に吸い上げられた薬液が容器の外壁面を汚すことを防止することができる薬液揮散器を提供する。【解決手段】上部に開口を有する容器と、前記容器内に収容される薬液と、棒状の揮散体とを備える薬液揮散器が提供される。前記揮散体は、前記薬液を前記容器内から吸い上げ、外部空間に揮散させるべく、前記容器外へ一部が露出するように前記開口を介して前記容器内に挿入される。前記容器は、前記開口を囲んで前記開口を画定する周縁部を含む。前記周縁部は、前記開口に面する第１内面と、前記開口に面する第２内面とを有する。前記第２内面は、前記第１内面よりも前記開口の径方向内側に位置するとともに、前記第１内面よりも下方に位置する。前記第１内面と前記第２内面とは、滑らかに連続しておらず、前記容器内に挿入された前記揮散体は、前記第１内面と距離を保ちつつ、前記第２内面と接触する。【選択図】図４
2018108827.tif 000002
【特許請求の範囲】
【請求項１】
上部に開口を有する容器と、
前記容器内に収容される薬液と、
前記薬液を前記容器内から吸い上げ、外部空間に揮散させるべく、前記容器外へ一部が露出するように前記開口を介して前記容器内に挿入される棒状の揮散体と
を備え、
前記容器は、前記開口を囲んで前記開口を画定する周縁部を含み、
前記周縁部は、前記開口に面する第１内面と、前記開口に面し、前記第１内面よりも前記開口の径方向内側に位置するとともに、前記第１内面よりも下方に位置する第２内面とを有し、
前記第１内面と前記第２内面とは、滑らかに連続しておらず、
前記容器内に挿入された前記揮散体は、前記第１内面と距離を保ちつつ、前記第２内面と接触する、
薬液揮散器。
【請求項２】
前記揮散体が前記容器内において上下方向に対し最も傾斜しているとき、前記揮散体が前記第２内面と接触し、前記揮散体に対し前記開口の径方向外側に前記第１内面が位置する、
請求項１に記載の薬液揮散器。
【請求項３】
前記第１内面は、上に向かう程、前記開口の径方向外側に向かうように傾斜する傾斜面を形成している、
請求項１又は２に記載の薬液揮散器。
【請求項４】
前記第１内面と前記第２内面とは、連続している、
請求項３に記載の薬液揮散器。
【請求項５】
前記第１内面と前記第２内面とは、段差を形成している、
請求項１から３のいずれかに記載の薬液揮散器。
【請求項６】
前記第１内面の上端と前記第２内面の上端との間の上下方向の長さは、０．５ｍｍ以上である、
請求項１から５のいずれかに記載の薬液揮散器。
【発明の詳細な説明】
【技術分野】
【０００１】
本発明は、薬液揮散器に関する。
【背景技術】
【０００２】
従来より、薬液が収容された容器内に、棒状の揮散体を容器内から突出するような態様で挿入して使用する薬液揮散器が知られている（例えば、特許文献１参照）。この種の薬液揮散器では、容器内の薬液が揮散体に吸い上げられて外部空間に揮散することで、薬液の有する芳香効果等の効果が外部空間に付与される。
【０００３】
薬液を吸い上げる揮散体としては、様々なタイプのものがあるが、一例を挙げると、ラタン製のものが広く用いられている。ラタン製の揮散体は、内部の微細孔を介して毛細管現象により薬液を吸い上げ、このとき、薬液が内部の微細孔から外表面に染み出す。揮散体は、薬液を吸い上げて外部空間へ揮散させる役割を担うため、多くの場合、使用中、その外表面には薬液が付着する。なお、このことは、ラタン製の揮散体に限られない。
【先行技術文献】
【特許文献】
【０００４】
【特許文献１】特開２０１６−１２４６０３号公報
【発明の概要】
【発明が解決しようとする課題】
【０００５】
図１は、特許文献１に記載の薬液揮散器の容器の上部の開口付近を拡大した側方断面図である。同図に示すとおり、容器内に挿入された揮散体は、容器の開口を囲む周縁部と接触する。そのため、揮散体の外表面に付着した薬液は、しばしばこの揮散体と周縁部との接点付近に溜まり、その後、容器の外壁面を伝って流れ落ちることがある。その場合、容器に触れた人の手や壁や家財等が薬液で汚されてしまうことになりかねない。
【０００６】
本発明は、揮散体に吸い上げられた薬液が容器の外壁面を汚すことを防止することができる薬液揮散器を提供することを目的とする。
【課題を解決するための手段】
【０００７】
本発明の第１観点に係る薬液揮散器は、上部に開口を有する容器と、前記容器内に収容される薬液と、棒状の揮散体とを備える。前記揮散体は、前記薬液を前記容器内から吸い上げ、外部空間に揮散させるべく、前記容器外へ一部が露出するように前記開口を介して前記容器内に挿入される。前記容器は、前記開口を囲んで前記開口を画定する周縁部を含む。前記周縁部は、前記開口に面する第１内面と、前記開口に面する第２内面とを有する。前記第２内面は、前記第１内面よりも前記開口の径方向内側に位置するとともに、前記第１内面よりも下方に位置する。前記第１内面と前記第２内面とは、滑らかに連続しておらず、前記容器内に挿入された前記揮散体は、前記第１内面と距離を保ちつつ、前記第２内面と接触する。
【０００８】
本発明の第２観点に係る薬液揮散器は、第１観点に係る薬液揮散器であって、前記揮散体が前記容器内において上下方向に対し最も傾斜しているとき、前記揮散体が前記第２内面と接触し、前記揮散体に対し前記開口の径方向外側に前記第１内面が位置する。
【０００９】
本発明の第３観点に係る薬液揮散器は、第１観点又は第２観点に係る薬液揮散器であって、前記第１内面は、上に向かう程、前記開口の径方向外側に向かうように傾斜する傾斜面を形成している。
【００１０】
本発明の第４観点に係る薬液揮散器は、第３観点に係る薬液揮散器であって、前記第１内面と前記第２内面とは、連続している。
【００１１】
本発明の第５観点に係る薬液揮散器は、第１観点から第３観点のいずれかに係る薬液揮散器であって、前記第１内面と前記第２内面とは、段差を形成している。
【００１２】
本発明の第６観点に係る薬液揮散器は、第１観点から第５観点のいずれかに係る薬液揮散器であって、前記第１内面の上端と前記第２内面の上端との間の上下方向の長さは、０．５ｍｍ以上である。
【発明の効果】
【００１３】
本発明によれば、容器の上部の開口を画定する周縁部に、共に開口に面する第１内面及び第２内面が形成されている。第２内面は、第１内面よりも内側かつ下方に位置する。そして、容器内に挿入された揮散体は、第２内面に接触するが、この第２内面が障壁となって、第１内面と距離を保つ。その結果、揮散体と第１内面との間に空間が形成され、揮散体の外表面に付着した薬液は、容器の外壁面に達することができない。これにより、揮散体に吸い上げられた薬液が容器の外壁面を汚すことを防止することができる。
【図面の簡単な説明】
【００１４】
【図１】従来技術に係る薬液揮散器の容器の上部の開口付近を拡大した側方断面図。
【図２】第１実施形態に係る薬液揮散器の外観図。
【図３】第１実施形態に係る薬液揮散器の容器の平面図。
【図４】第１実施形態に係る薬液揮散器の容器の首部付近を拡大した側方断面図。
【図５】第１実施形態に係る揮散体の横断面図。
【図６】第２実施形態に係る薬液揮散器の容器の平面図。
【図７】第２実施形態に係る薬液揮散器の容器の首部付近を拡大した側方断面図。
【図８】変形例に係る薬液揮散器の容器の首部付近を拡大した側方断面図。
【図９】別の変形例に係る薬液揮散器の容器の首部付近を拡大した側方断面図。
【図１０】さらに別の変形例に係る薬液揮散器の容器の首部付近を拡大した側方断面図。
【図１１】さらに別の変形例に係る薬液揮散器の容器の首部付近を拡大した側方断面図。
【発明を実施するための形態】
【００１５】
以下、図面を参照しつつ、本発明の幾つかの実施形態に係る薬液揮散器について説明する。
【００１６】
＜１．第１実施形態＞
＜１−１．薬液揮散器の全体構成＞
図２に、第１実施形態に係る薬液揮散器１の外観図を示す。同図に示すように、薬液揮散器１は、薬液が収容される容器２と、容器２内に挿入される複数本の棒状の揮散体３とを備える。容器２は、上部に開口Ｓ１を有し、この開口Ｓ１を介して薬液を内部空間Ｓ２内に収容することができる。なお、本明細書でいう「上」「下」は、特に断らない限り、図２に示す使用状態を基準に定義される。
【００１７】
棒状の揮散体３は、容器２内から突出するような態様で容器２内に挿入される。すなわち、揮散体３は、容器２の高さに対し十分な長さを有しており、下端部３ａが容器２内に配置され、上端部３ｂが容器２外に露出するような態様で、開口Ｓ１を介して容器２の内部空間Ｓ２内に挿入される。また、揮散体３は、後述されるように、薬液を毛細管現象により重力に逆らって吸い上げることが可能な構造を有している。その結果、容器２内の薬液は、揮散体３を伝って下端部３ａから上端部３ｂまで上昇することができ、揮散体３の外表面から外部空間へと揮散（自然蒸散）する。これにより、薬液は、薬液揮散器１の置かれた周囲の空間へ拡散される。
【００１８】
ここで使用される薬液は、特にその種類は限定されないが、典型的には芳香剤、消臭剤又は防虫剤、或いはこれらの混合物であり、使用目的に応じて、香料、消臭成分、防虫成分、着色料等の添加剤が含有される。薬液に含まれる溶媒は、使用される添加剤の種類に応じて適宜選択され、親水性溶媒又は親油性溶媒、或いはこれらの混合物とすることができる。薬液が香料を含む場合には、その香り強度を高めるために、溶媒として少なくとも親油性溶媒を含むことが好ましい。親水性溶媒としては、例えば、水又はエタノール、或いはこれらの混合物を使用することができる。親油性溶媒としては、例えば、グリコールエーテル又はイソパラフィン系溶媒、或いはこれらの混合物を使用することができる。また、薬液には、香料、消臭成分、防虫成分、着色料等の機能性成分を可溶化させるために、溶解剤が含まれていてもよい。
【００１９】
揮散体３の形状及び材質は、薬液を吸い上げて外部に揮散させることができる限り、特に限定されない。揮散体３は、典型的には、内部に微細孔を有する細長い略円柱形状を有しており、ラタン等の天然素材から構成することもできるし、ポリエチレン、ポリアセタール等の合成樹脂から構成することもできる。本実施形態に係る揮散体３は、図５に示す横断面形状を有する。この例では、揮散体３は、ポリエチレンテレフタレートとポリウレタンから構成され、内部に多数の不定形の微細孔３１を有する。また、この揮散体３は、外表面が凹凸形状を有しており、外表面には、多数の溝３２が形成されている。これらの溝３２は、揮散体３の軸方向に沿って下端部３ａから上端部３ｂまで筋状に延びている。また、これらの溝３２は、揮散体３の周方向に沿って概ね等間隔に配置されている。従って、薬液は毛細管現象により、微細孔３１だけでなく、溝３２に沿っても吸い上げられる。そのため、本実施形態の揮散体３の外表面には、薬液が多量に付着し易くなっている。
【００２０】
＜１−２．容器の詳細＞
容器２は、内部空間Ｓ２を画定する底部１０及び周壁部２０を有する。本実施形態では、底部１０は、中央部１１がその外周部１２よりもやや上方に隆起した形状を有している。従って、容器２内の薬液は、残量が少なくなると、底部１０の周縁に溜まることになる。一方で、棒状の揮散体３の下端部３ａは、通常、底部１０の傾斜に沿って下降し、底部１０の周縁に配置される。従って、揮散体３と薬液とが接触し易い構成となっているため、薬液を最後まで使い切ることができる。
【００２１】
周壁部２０は、筒状の胴部２１と、胴部２１の上端に連続する肩部２２と、さらに肩部２２の上端に連続する首部２３（周縁部）とを有している。首部２３は、容器２の上部の開口Ｓ１を囲む筒状の部位であり、胴部２１よりも幅狭である。これにより、薬液揮散器１の転倒時には肩部２２が壁となり、薬液が開口Ｓ１を介してこぼれにくくなっている。特に本実施形態では、首部２３が胴部２１と同軸に配置されているため、薬液揮散器１がどの方向に転倒したとしても肩部２２が壁となり、薬液のこぼれを抑制することができる。また、開口Ｓ１の横断面の面積が胴部２１の横断面の面積（内部空間Ｓ２の横断面の面積）よりも狭いため、容器２内に収容される薬液の量に対し、開口Ｓ１を介して容器２内から自然蒸散する薬液の量を抑制することができる。
【００２２】
上記のとおり、開口Ｓ１を画定する首部２３内には、複数本の揮散体３が差し込まれる。このとき、揮散体３により開口Ｓ１全体が塞がれてしまわない程度の余裕を持って、揮散体３を開口Ｓ１内に挿入することが好ましい。この場合、揮散体３を容器２内で傾斜させて配置することができ、美観を向上させることができるからである。また、美観をさらに向上させる観点からは、図２に示すように、複数本の揮散体３を様々な方向に放射状に延びるように配置することがより好ましい。
【００２３】
容器２の材質は特に限定されないが、例えば、ガラス製やプラスチック製とすることができる。薬液の残量を外部から視認できるようにする観点からは、容器２は、透明（半透明を含む）に形成されていることが好ましい。
【００２４】
図３は、容器２の平面図であり、図４は、薬液揮散器１の容器２の首部２３付近を拡大した側方断面図である。これらの図に示されるように、本実施形態では、首部２３の上部が径方向内側において傾斜面を形成している。この傾斜面は、図４の例では側面視において直線状であるが、側面視において湾曲していてもよい。なお、本明細書における径方向とは、特に断らない限り、開口Ｓ１の中心軸を基準として定義される。また、本実施形態では、開口Ｓ１、内部空間Ｓ２、首部２３、肩部２２及び胴部２１の中心軸は、同軸である。
【００２５】
首部２３は、共に開口Ｓ１に面する第１内面４１及び第２内面４２を有しており、第１内面４１と第２内面４２とは、互いに連続している。ただし、第１内面４１と第２内面４２とは、お互いの境界となる点Ｐ２において滑らかに連続していない。言い換えると、第１内面４１及び第２内面４２は、各々滑らかな連続面を形成しているが、お互いの境界となる点Ｐ２において折れ曲がっている。なお、Ｐ１は、第１内面４１の上端の点を表し、Ｐ２は、第２内面４２の上端の点を表すものとする。本実施形態では、点Ｐ２は、第１内面４１の下端の点に連続している。
【００２６】
第２内面４２は、第１内面４１よりも径方向内側に位置しており、さらに第１内面４１よりも下方に位置している。本実施形態では、第１内面４１は、上に向かう程、径方向外側に向かうように傾斜する傾斜面を形成している。第２内面４２は、上下方向に略平行に延びている。
【００２７】
図４は、容器２内に挿入された揮散体３が上下方向に対して最も傾斜した状態（以下、最傾状態という）を示している。最傾状態では、揮散体３は、下端部３ａが底部１０の外周部１２に接触するとともに、第２内面４２の上端の点Ｐ２に接触する。このとき、揮散体３は、第１内面４１と距離を保ちつつ、第２内面４２の上端の点Ｐ２に接触する。つまり、最傾状態では、第２内面４２が第１内面４１と揮散体３とを離間させるため、揮散体３は第１内面４１には接触せず、揮散体３と第１内面４１との間には空間Ｓ３が形成される。従って、最傾状態の第１内面４１は、揮散体３に対して径方向外側に配置される。
【００２８】
揮散体３の軸方向が上下方向と為す角度をθ１とする。また、側面視において第１内面４１と上下方向との為す角をθ２とする。このとき、最傾状態においても、θ２＞θ１となる。
【００２９】
また、首部２３は、第１内面４１の上端の点Ｐ１に連続する上面４４を有しており、さらに上面４４の径方向の最外点Ｐ４から連続する外壁面４５を有している。上面４４及び外壁面４５は、共に容器２の外部空間に面している。上面４４は、水平方向に平行であり、外壁面４５は、容器２の側方の外部空間に面している。本実施形態に係る外壁面４５の上部は、図４に示すとおり、側面視において径方向外側に凸形状の丸味を帯びている。なお、上面４４は、水平面に対して傾斜していてもよい。また、上面４４は、省略可能である。
【００３０】
以上の構成より、揮散体３の外表面に付着した薬液は、当該外表面に沿って滴り落ち、しばしば揮散体３と首部２３との接点、本実施形態では、揮散体３と第２内面４２との接点となる点Ｐ２付近に溜まることがある。しかしながら、この薬液が容器２の外壁面４５に達することはない。すなわち、第１内面４１が上下方向に延びているため、これが空間Ｓ３の外壁となって、空間Ｓ３が「薬液のプール」となる。そのため、薬液が、第１内面４１及び上面４４を超えて外壁面４５に達することがない。その結果、容器２の外壁面４５に沿って薬液が滴り落ち、薬液で外壁面４５が汚れてしまうことが防止される。ひいては、容器２の外壁面４５に触れる人の手や壁や家財等が薬液で汚れることもない。また、本実施形態では、空間Ｓ３の底面ともなる第１内面４１が径方向内側に向かう程、下に向かうように傾斜しているため、空間Ｓ３内に漏れ出た薬液は重力により、第１内面４１に沿って容器２の内部空間Ｓ２内に戻される。そのため、益々、薬液が外壁面４５を汚す虞が低減される。
【００３１】
以上のとおり、薬液が外壁面４５を汚さないようにする観点からは、第１内面４１の上端の点Ｐ１と第２内面４２の上端の点Ｐ２との間の上下方向の長さｗ１は、０．５ｍｍ≦ｗ１であることが好ましく、１.０ｍｍ≦ｗ１であることがより好ましく、２.０ｍｍ≦ｗ１であることがさらに好ましい。また、ｗ１≦３０ｍｍであることが好ましく、ｗ１≦２０ｍｍであることがより好ましく、ｗ１≦１０ｍｍであることがさらに好ましい。また、同様の観点から、第１内面４１の上端の点Ｐ１と第２内面４２の上端の点Ｐ２との間の水平方向の長さｗ２は、１.０ｍｍ≦ｗ２であることが好ましく、２.０ｍｍ≦ｗ２であることがより好ましく、３.０ｍｍ≦ｗ２であることがさらに好ましい。また、ｗ２≦４５ｍｍであることが好ましく、ｗ２≦３０ｍｍであることがより好ましく、ｗ２≦１５ｍｍであることがさらに好ましい。
【００３２】
また、揮散体３の水平面に対する角度が大きい程、薬液が揮散体３から空間Ｓ３内へ滴り落ちにくくなる。従って、最傾状態での揮散体３の水平面に対する角度θ３（＝９０°−θ１）は、４５°≦θ３であることが好ましく、６０°≦θ３であることがより好ましい。
【００３３】
＜２．第２実施形態＞
次に、図６及び図７を参照しつつ、第２実施形態に係る薬液揮散器について説明する。なお、第１実施形態と第２実施形態とは、容器の構造が異なるものの、両者は多くの点で共通する。従って、以下では、主として両者の相違点について説明し、共通の要素には同じ参照符号を付して説明を省略する。
【００３４】
図６は、本実施形態に係る容器１０２の平面図であり、図７は、容器１０２の首部２３付近を拡大した側方断面図である。これらの図に示されるように、本実施形態では、首部２３の上部が径方向内側において段差Ｄ１を形成している。
【００３５】
首部２３は、共に開口Ｓ１に面する第１内面４１及び第２内面４２を有しており、さらにこれらの内面４１，４２の間に同じく開口Ｓ１に面する第３内面４３を有している。第１内面４１、第３内面４３及び第２内面４２は、この順番に互いに連続しているが、お互いの境界となる点Ｐ３，Ｐ２において滑らかに連続していない。言い換えると、第１内面４１、第３内面４３及び第２内面４２は、各々滑らかな連続面を形成しているが、お互いの境界となる点Ｐ３，Ｐ２において折れ曲がっている。なお、Ｐ３とは、第３内面４３の上端の点を表すものとする。本実施形態では、点Ｐ３は、第１内面４１の下端の点に連続しており、点Ｐ２は、第３内面４３の下端の点に連続している。
【００３６】
第２内面４２は、第１内面４１よりも径方向内側に位置しており、さらに第１内面４１よりも下方に位置している。本実施形態では、第１内面４１及び第３内面４３は、上に向かう程、径方向外側に向かうように傾斜する傾斜面を形成しており、第１内面４１が構成する傾斜面の方が、第３内面４３が構成する傾斜面よりも上下方向に対し急峻に傾斜している。第２内面４２は、上下方向に略平行に延びている。第１内面４１と第２内面４２とは、第３内面４３を介して段差Ｄ１を形成している。なお、第１内面４１及び第３内面４３が形成する傾斜面は、図７の例では側面視において直線状であるが、側面視において湾曲していてもよい。
【００３７】
図７は、容器１０２内に挿入された揮散体３が上下方向に対して最も傾斜した状態（以下、最傾状態という）を示している。最傾状態では、揮散体３は、下端部３ａが底部１０の外周部１２に接触するとともに、第２内面４２の上端の点Ｐ２に接触する。このとき、揮散体３は、第１内面４１と距離を保ちつつ、第２内面４２の上端の点Ｐ２に接触する。つまり、最傾状態では、第２内面４２が第１内面４１と揮散体３とを離間させるため、揮散体３は第１内面４１には接触せず、揮散体３と第１内面４１との間には空間Ｓ３が形成される。従って、最傾状態の第１内面４１は、揮散体３に対して径方向外側に配置される。
【００３８】
揮散体３の軸方向が上下方向と為す角度をθ１とし、（開口Ｓ１の周方向に同じ位置にある）点Ｐ１と点Ｐ２とを結ぶ直線と上下方向との為す角をθ２とする。このとき、最傾状態においても、θ２＞θ１となる。
【００３９】
また、首部２３は、第１内面４１の上端の点Ｐ１に連続する上面４４を有しており、さらに上面４４の径方向の最外点Ｐ４から連続する外壁面４５を有している。上面４４及び外壁面４５は、共に容器１０２の外部空間に面している。上面４４は、水平方向に平行であり、外壁面４５は、容器１０２の側方の外部空間に面している。本実施形態に係る外壁面４５の上部は、図７に示すとおり、側面視において径方向外側に凸形状の丸味を帯びている。なお、上面４４は、水平面に対して傾斜していてもよい。また、上面４４は、省略可能である。
【００４０】
以上の構成より、揮散体３の外表面に付着した薬液は、当該外表面に沿って滴り落ち、しばしば揮散体３と首部２３との接点、本実施形態では、揮散体３と第２内面４２との接点となる点Ｐ２付近に溜まることがある。しかしながら、この薬液が容器１０２の外壁面４５に達することはない。すなわち、第１内面４１が上下方向に延びているため、これが空間Ｓ３の外壁となって、空間Ｓ３が「薬液のプール」となる。そのため、薬液が、第１内面４１及び上面４４を超えて外壁面４５に達することがない。その結果、容器１０２の外壁面４５に沿って薬液が滴り落ち、薬液で外壁面４５が汚れてしまうことが防止される。ひいては、容器１０２の外壁面４５に触れる人の手や壁や家財等が薬液で汚れることもない。また、本実施形態では、空間Ｓ３の底面を構成する第３内面４３が径方向内側に向かう程、下に向かうように傾斜しているため、空間Ｓ３内に漏れ出た薬液は重力により、第３内面４３に沿って容器１０２の内部空間Ｓ２内に戻される。なお、このことは、同じく径方向内側に向かう程、下に向かうように傾斜している第１内面４１についても同様である。そのため、益々、薬液が外壁面４５を汚す虞が低減される。
【００４１】
以上のとおり、薬液が外壁面４５を汚さないようにする観点からは、第１内面４１の上端の点Ｐ１と第２内面４２の上端の点Ｐ２との間の上下方向の長さｗ１は、０．５ｍｍ≦ｗ１であることが好ましく、１.０ｍｍ≦ｗ１であることがより好ましく、２.０ｍｍ≦ｗ１であることがさらに好ましい。また、ｗ１≦３０ｍｍであることが好ましく、ｗ１≦２０ｍｍであることがより好ましく、ｗ１≦１０ｍｍであることがさらに好ましい。また、同様の観点から、第１内面４１の上端の点Ｐ１と第２内面４２の上端の点Ｐ２との間の水平方向の長さｗ２は、１.０ｍｍ≦ｗ２であることが好ましく、２.０ｍｍ≦ｗ２であることがより好ましく、３.０ｍｍ≦ｗ２であることがさらに好ましい。また、ｗ２≦４５ｍｍであることが好ましく、ｗ２≦３０ｍｍであることがより好ましく、ｗ２≦１５ｍｍであることがさらに好ましい。
【００４２】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００４３】
＜３−１＞
図８に示すように、外壁面４５は、側面視において点Ｐ４から下方へ略真っ直ぐに延びていてもよい。
【００４４】
＜３−２＞
第２実施形態では、首部２３の第１内面４１は、上に向かう程、径方向外側に向かうように傾斜していたが、上下方向に平行に延びていてもよいし、図９に示すように上に向かう程、径方向内側に向かうように傾斜していてもよい。第３内面４３についても、同様であり、水平方向に平行に延びていてもよいし、図９に示すように上に向かう程、径方向内側に向かうように傾斜していてもよい。また、第１及び第２実施形態において、第２内面４２が上下方向に延びている必要はなく、上に向かう程、径方向外側又は内側に向かうように傾斜していてもよい。
【００４５】
＜３−３＞
図１０に示すように、第２内面４２の上部及び第１内面４１が丸みを帯びていてもよい。すなわち、第２内面４２の上部及び第１内面４１が、側面視において湾曲していてもよい。
【００４６】
＜３−４＞
上記実施形態の容器２,１０２は、その全体が一体的に構成されていた。しかしながら、図１１に示すように、第１内面４１を構成する部分と、第２内面４２を構成する部分とが別体であってもよい。例えば、第１内面４１を含む本体部４１ａをガラスで構成し、本体部４１ａに第２内面４２を含む部材４２ａを取り付けることができる。このとき、第２内面４２を含む部材４２ａは、第１内面４１を含む本体部４１ａに取り付けやすいよう、ゴムや樹脂等の弾性材料から構成し、嵌め込み式とすることができる。
【符号の説明】
【００４７】
１  薬液揮散器
２，１０２  容器
３  揮散体
３ａ  下端部
３ｂ  上端部
３２  首部（周縁部）
４１  第１内面
４２  第２内面
Ｄ１  段差
Ｓ１  開口
【図１】
2018108827.tif 000003
【図２】
2018108827.tif 000004
【図３】
2018108827.tif 000005
【図４】
2018108827.tif 000006
【図５】
2018108827.tif 000007
【図６】
2018108827.tif 000008
【図７】
2018108827.tif 000009
【図８】
2018108827.tif 000010
【図９】
2018108827.tif 000011
【図１０】
2018108827.tif 000012
【図１１】
2018108827.tif 000013